(57)【要約】【課題】電話回線から流れる雷サージにより、音声処理装置が破壊されることを防ぐためにユーザに注意を促すことができる。【解決手段】  音声処理装置１は、音声信号の入出力を制御する制御部１０１と、通信端末４が接続可能に構成され、音声信号及び電力を制御部１０１へ伝送する端末接続部１５０と、音声信号を伝送する電話回線３が接続可能に構成され、音声信号を制御部１０１へ伝送する電話接続部２５０と、端末接続部１５０に通信端末４が接続されているか否かを検知する端末接続検知部Ｓ１７と、電話接続部２５０に電話回線３が接続されているか否かを検知する電話接続検知部Ｓ１５と、を備えることを特徴とする。【選択図】図５
2013211634.tif 000002
【特許請求の範囲】
【請求項１】
音声信号の入出力を制御する制御部と、
音声信号及び電力を供給する通信端末が接続可能に構成され、音声信号及び電力を前記制御部へ伝送する端末接続部と、
音声信号を伝送する電話回線が接続可能に構成され、音声信号を前記制御部へ伝送する電話接続部と、
前記端末接続部に前記通信端末が接続されているか否かを検知する端末接続検知部と、
前記電話接続部に前記電話回線が接続されているか否かを検知する電話接続検知部と、
前記端末接続検知部が、前記端末接続部に前記通信端末が接続されていると検知し、かつ
前記電話接続検知部が、前記電話接続部に前記電話回線が接続されていると検知した所定接続状態を検知する状態検知部と、
前記状態検知部が前記所定接続状態を検知した場合、前記所定接続状態を報知する報知部と、
を備えることを特徴とする音声処理装置。
【請求項２】
電源アダプタが接続可能に構成されるアダプタ接続部と、
前記電話接続部及び前記アダプタ接続部が接続され、前記電話接続部から流れる、少なくとも前記音声信号の電圧より高い電圧を有する雷サージを前記アダプタ接続部に誘導する雷防護部と、
前記アダプタ接続部に前記電源アダプタが接続されているか否かを検知するアダプタ接続検知部と、
前記状態検知部は、
前記端末接続検知部が、前記端末接続部に前記通信端末が接続されていると検知し、かつ
前記電話接続検知部が、前記電話接続部に前記電話回線が接続されていると検知し、かつ
前記アダプタ接続検知部が、前記アダプタ接続部に前記電源アダプタが接続されていることを検知していない状態を前記所定接続状態として検知することを特徴とする請求項１に記載の音声処理装置。
【請求項３】
前記状態検知部が前記所定接続状態を検知した場合、少なくとも音声信号の通信動作を停止する停止部を備えることを特徴とする請求項１又は２に記載の音声処理装置。
【請求項４】
前記制御部と、前記端末接続部と、前記端末接続検知部と、前記電話接続検知部と、前記状態検知部と、前記制御部と接続される本体側接続部と、を含む本体端末と、
前記電話接続部と、前記電話接続部と接続されるモジュール側接続部と、を含み、前記電話回線から前記制御部へ音声信号を伝送するための回線モジュールと、を有し、
前記モジュール側接続部と前記本体側接続部とは接続可能に構成されることを特徴とする請求項１〜３のいずれかに記載の音声処理装置。
【請求項５】
前記回線モジュールは、
電源アダプタが接続可能に構成されるモジュール側アダプタ接続部と、
前記電話接続部が接続され、前記電話接続部から伝送される音声信号の電圧より高い電圧を有する雷サージを前記アダプタ接続部に誘導する雷防護部と、を含み、
前記本体端末は、
電源アダプタが接続可能に構成される本体側アダプタ接続部を含み、
前記モジュール側接続部と前記本体側接続部とが接続されている場合、前記回線モジュールを収容するケースが、前記本体側アダプタ接続部の少なくとも一部を塞ぐことを特徴とする請求項４に記載の音声処理装置。
【請求項６】
前記回線モジュールは、
電源アダプタが接続可能に構成されるモジュール側アダプタ接続部と、
前記電話接続部が接続され、前記電話接続部から伝送される音声信号の電圧より高い電圧を有する雷サージを前記アダプタ接続部に誘導する雷防護部と、を含み、
前記本体端末は、
電源アダプタが接続可能に構成される本体側アダプタ接続部を含み、
前記モジュール側接続部と前記本体側接続部とを接続する接続ケーブルが少なくとも前記本体側接続部に接続されている場合、前記接続ケーブルが、前記本体側アダプタ接続部の少なくとも一部を塞ぐことを特徴とする請求項４に記載の音声処理装置。
【発明の詳細な説明】
【技術分野】
【０００１】
本発明は、電話回線から流れる雷サージが通信端末を破壊することを防ぐことができる音声処理装置に関する。
【背景技術】
【０００２】
マイクによって集音した音声を、遠隔地に設置された他の音声処理装置に対してネットワークを介して送信し、またネットワークを介して遠隔地の音声を受信したとき、音声をスピーカから出力する音声処理装置としてのスピーカフォンが知られている。このような音声処理装置は、遠隔会議システム等において広く使用されている。
【０００３】
特許文献１に、電話回線等の通信回線と接続され、ＡＣアダプタからの電源が供給されていなくても、ＵＳＢ接続されたＰＣから供給されるＵＳＢバスパワーにより駆動される音声処理装置としてのマルチファンクション装置が開示されている。
【０００４】
特許文献２に、ＡＣアダプタ本体部の内部に設けられた雷サージ防護回路部が開示されている。ＡＣアダプタ本体部は、通信機器本体と接続コードを介して接続される。雷サージ防護回路部は、通信回線から流れる雷サージが通信機器本体に侵入することを防ぐ。具体的には、雷サージ防護回路部が、ＡＣアダプタ本体部に備えられた通信回線と、ＡＣアダプタ本体部に備えられたＡＣプラグ部と、の間に接続される。これにより、雷サージ防護回路部は、通信回線から誘導された雷サージを確実に商用電源ラインの接地側にバイパスさせ、通信機器本体への雷サージの侵入を抑制し、通信機器本体を雷サージから防護する。
【先行技術文献】
【特許文献】
【０００５】
【特許文献１】特開２００５−２７７５０９号公報
【特許文献２】特開平８−３７７３３号公報
【発明の概要】
【発明が解決しようとする課題】
【０００６】
特許文献１に記載の音声処理装置において、ＰＣとのＵＳＢ接続がされていなければ、雷サージの経路がないため、雷サージが音声処理装置に侵入することはない。
【０００７】
しかしながら、特許文献１に記載の音声処理装置において、ＰＣとのＵＳＢ接続がされている場合、雷サージがＵＳＢ接続を介してＰＣに侵入する。
【０００８】
さらに、特許文献１に記載の音声処理装置において、特許文献２に記載のＡＣアダプタ本体部内部の雷サージ防護回路部を用いたとしても、ＡＣプラグ部に電力を供給する商用電源が接続されていない場合、通信回線に誘導された雷サージを商用電源に流すことができない。雷サージをＡＣプラグ部から商用電源に流すことができないため、雷サージがＵＳＢ接続を介してＰＣへ侵入し、ＰＣを破壊する恐れがあった。
【０００９】
本発明は、上述した課題を解決するためになされたものであり、雷サージによりＰＣが破壊することを防ぐことができる音声処理装置を提供することを目的とする。
【課題を解決するための手段】
【００１０】
請求項１に記載の音声処理装置は、音声信号の入出力を制御する制御部と、音声信号及び電力を供給する通信端末が接続可能に構成され、音声信号及び電力を前記制御部へ伝送する端末接続部と、音声信号を伝送する電話回線が接続可能に構成され、音声信号を前記制御部へ伝送する電話接続部と、前記端末接続部に前記通信端末が接続されているか否かを検知する端末接続検知部と、前記電話接続部に前記電話回線が接続されているか否かを検知する電話接続検知部と、前記端末接続検知部が、前記端末接続部に前記通信端末が接続されていると検知し、かつ前記電話接続検知部が、前記電話接続部に前記電話回線が接続されていると検知した所定接続状態を検知する状態検知部と、前記状態検知部が前記所定接続状態を検知した場合、前記所定接続状態を報知する報知部と、を備えることを特徴とする。
【００１１】
請求項２に記載の音声処理装置は、電源アダプタが接続可能に構成されるアダプタ接続部と、前記電話接続部及び前記アダプタ接続部が接続され、前記電話接続部から流れる、少なくとも前記音声信号の電圧より高い電圧を有する雷サージを前記アダプタ接続部に誘導する雷防護部と、前記アダプタ接続部に前記電源アダプタが接続されているか否かを検知するアダプタ接続検知部と、前記状態検知部は、前記端末接続検知部が、前記端末接続部に前記通信端末が接続されていると検知し、かつ前記電話接続検知部が、前記電話接続部に前記電話回線が接続されていると検知し、かつ前記アダプタ接続検知部が、前記アダプタ接続部に前記電源アダプタが接続されていることを検知していない状態を前記所定接続状態として検知することを特徴とする。
【００１２】
請求項３に記載の音声処理装置は、前記状態検知部が前記所定接続状態を検知した場合、少なくとも音声信号の通信動作を停止する停止部を備えることを特徴とする。
【００１３】
請求項４に記載の音声処理装置は、前記制御部と、前記端末接続部と、前記端末接続検知部と、前記電話接続検知部と、前記状態検知部と、前記制御部と接続される本体側接続部と、を含む本体端末と、前記電話接続部と、前記電話接続部と接続されるモジュール側接続部と、を含み、前記電話回線から前記制御部へ音声信号を伝送するための回線モジュールと、を有し、前記モジュール側接続部と前記本体側接続部とは接続可能に構成されることを特徴とする。
【００１４】
請求項５に記載の音声処理装置は、前記回線モジュールは、電源アダプタが接続可能に構成されるモジュール側アダプタ接続部と、前記電話接続部が接続され、前記電話接続部から伝送される音声信号の電圧より高い電圧を有する雷サージを前記アダプタ接続部に誘導する雷防護部と、を含み、前記本体端末は、電源アダプタが接続可能に構成される本体側アダプタ接続部を含み、前記モジュール側接続部と前記本体側接続部とが接続されている場合、前記回線モジュールを収容するケースが、前記本体側アダプタ接続部の少なくとも一部を塞ぐことを特徴とする。
【００１５】
請求項６に記載の音声処理装置は、前記回線モジュールは、電源アダプタが接続可能に構成されるモジュール側アダプタ接続部と、前記電話接続部が接続され、前記電話接続部から伝送される音声信号の電圧より高い電圧を有する雷サージを前記アダプタ接続部に誘導する雷防護部と、を含み、前記本体端末は、電源アダプタが接続可能に構成される本体側アダプタ接続部を含み、前記モジュール側接続部と前記本体側接続部とを接続する接続ケーブルが少なくとも前記本体側接続部に接続されている場合、前記接続ケーブルが、前記本体側アダプタ接続部の少なくとも一部を塞ぐことを特徴とする。
【発明の効果】
【００１６】
請求項１に記載の音声処理装置は、端末接続検知部と、電話接続検知部と、を備える。端末接続検知部が、通信端末が接続されていると検知し、電話接続検知部が、電話回線が接続されていると検知することにより、雷サージが音声処理装置を破壊する恐れがある危険状態を検知することができる。危険状態を検知し、報知部によりユーザに注意を促すことができる。
【００１７】
請求項２に記載の音声処理装置は、雷防護部と、アダプタ接続検知部と、を備える。雷防護部により、電話回線からの雷サージをアダプタ接続部に誘導することができる。また、アダプタ接続検知部が、アダプタが接続されていないと検知することにより、雷防護部を設けたとしても雷サージが音声処理装置を破壊する恐れがある危険状態を検知することができる。危険状態を検知し、報知部によりユーザに注意を促すことができる。
【００１８】
請求項３に記載の音声処理装置は、停止部を備える。停止部により、音声信号の通信動作が停止され、音声信号が入出力されなくなる。その結果、報知部による報知に加え、ユーザに音声処理装置が危険状態であることを知らせることができる。
【００１９】
請求項４に記載の音声処理装置は、本体端末と、回線モジュールと、に分離される。本体端末と、回線モジュールとが分離されることにより、ユーザが電話回線を使用しない場合、本体端末から回線モジュールを取り外すことで、音声処理装置の小型化を図ることができる。音声処理装置が小型化されることにより、音声処理装置を持ち運びしやすくすることができる。
【００２０】
請求項５に記載の音声処理装置は、回線モジュールを収容するケースが本体側アダプタ接続部を覆う。ケースにより、電源アダプタが、雷防護部がない本体側アダプタ接続部に接続されることを防ぐことができる。その結果、雷サージが通信端末を破壊する恐れを低減することができる。
【００２１】
請求項６に記載の音声処理装置は、回線モジュールと本体端末とを接続する接続ケーブルが本体側アダプタ接続部を覆う。接続ケーブルにより、電源アダプタが、雷防護部がない本体側アダプタ接続部に接続されることを防ぐことができる。その結果、雷サージが通信端末を破壊する恐れを低減することができる。
【図面の簡単な説明】
【００２２】
【図１】第１実施形態に係るスピーカフォン１の外観図。
【図２】第１実施形態に係るスピーカフォン１の電気的構成を示すブロック図。
【図３】第１実施形態に係る本体端末１００の本体側アダプタ接続部１４３にＡＣアダプタ２が接続された状態を示す説明図。
【図４】第１実施形態に係る本体端末１００の本体側接続部１４４に接続ケーブル６が接続された状態を示す説明図。
【図５】第１実施形態に係る異常状態検知処理を示すフローチャート。
【図６】第１実施形態に係る表示部２０５に表示される警告画面。
【図７】第２実施形態に係る本体端末１００Ｂの本体側アダプタ接続部１４３ＢにＡＣアダプタ２が接続された状態を示す説明図。
【図８】第２実施形態に係る本体端末１００Ｂの本体側接続部１４４Ｂと回線モジュール２００Ｂのモジュール側接続部２４４Ｂとが接続された状態を示す説明図。
【発明を実施するための形態】
【００２３】
［第１実施形態］
以下、本発明の第１実施形態であるスピーカフォン１について図面を参照して説明する。
【００２４】
図１を参照し、スピーカフォン１の外観について説明する。スピーカフォン１は、例えば、立地の離れた複数拠点間で、テレビ会議や音声会議等の遠隔会議を行う場合に使用される。スピーカフォン１は、ＰＣ及び他のスピーカフォンからの音声信号を受信する本体端末１００と、電話回線３からのアナログ音声信号を受信し、本体端末１００に音声信号を送信する回線モジュール２００と、本体端末１００と回線モジュール２００とを接続する接続ケーブル６と、回線モジュール２００に接続され電力を回線モジュール２００に供給するＡＣアダプタ２と、回線モジュール２００に接続され回線モジュール２００にアナログ音声信号を伝送する電話回線３と、を備える。
【００２５】
回線モジュール２００は、電話番号、後述する警告画面等を表示する表示部２０５と、リダイヤルキー、カーソルキー、キャンセルキー、電話番号等を入力するためのテンキー等からなる操作部２０４と、を備える。
【００２６】
［スピーカフォン１の電気的構成の説明］
図２を参照し、スピーカフォン１の電気的構成について説明する。図２に示すように、スピーカフォン１は、本体端末１００と、回線モジュール２００と、を備える。本体端末１００は、本体側接続部１４４を備える。回線モジュール２００は、モジュール側接続部２４４を備える。本体側接続部１４４と、モジュール側接続部２４４とは、電気的に接続可能に構成される。具体的には、本体側接続部１４４とモジュール側接続部２４４とは、接続ケーブル６を介して接続される。
【００２７】
本体端末１００は、スピーカフォン１の制御を司るメインＣＰＵ１０１を備える。メインＣＰＵ１０１は、主に音声信号の入出力を制御する。メインＣＰＵ１０１は、ＲＡＭ１０２と、ＲＯＭ１０３と、操作部１０４と、に電気的に接続される。ＲＡＭ１０２は、タイマ、カウンタ等の一時的なデータを記憶する。ＲＯＭ１０３は、ブートプログラム、ＢＩＯＳ、ＯＳ等を記憶する。また、ＲＯＭ１０３は、図５に示す処理を実行するプログラムを記憶する。操作部１０４は、電源を投入するための電源ボタン等からなる。
【００２８】
ＰＣ４は、ＵＳＢケーブル５を介して、メインＣＰＵ１０１へ音声信号及びバスパワーを供給する。ＰＣ４は、ＵＳＢケーブル５を介して、ＵＳＢ接続部１５０に電気的に接続される。ＵＳＢ接続部１５０は、メインＣＰＵ１０１と電気的に接続されるＵＳＢＩ／Ｆ１２０と、ＵＳＢ接続検知部１２１と、に電気的に接続される。ＵＳＢ接続部１５０は、音声信号をＵＳＢＩ／Ｆ１２０を介してメインＣＰＵ１０１へ送信する。
【００２９】
ＵＳＢＩ／Ｆ１２０は、メインＣＰＵ１０１と電気的に接続される。ＵＳＢＩ／Ｆ１２０は、ＰＣ４から入力される音声信号を受信し、ＣＰＵ１０１へ音声信号を送信する。また、ＵＳＢＩ／Ｆ１２０は、メインＣＰＵ１０１から入力される音声信号を受信し、ＵＳＢ接続部１５０及びＵＳＢケーブル５を介してＰＣ４へ音声信号を送信する。
【００３０】
ＵＳＢ接続検知部１２１は、ＰＣ４から入力されるバスパワーが供給される。ＵＳＢ接続検知部１２１は、バスパワーによる電位を検知することで、ＵＳＢ接続部１５０にＰＣ４が電気的に接続されているか否かを検知する。ＵＳＢ接続検知部１２１は、ダイオードを介して、電源回路１４０に電気的に接続される。ダイオードは、後述する電源回路１４０からＵＳＢ接続検知部１２１へ電流が逆流することを防止するために設けられる。
【００３１】
本体側アダプタ接続部１４３は、本体側アダプタ接続検知部１４１に電気的に接続される。本体側アダプタ接続部１４３は、本体側接続部１４４に近接して配置される。本体側アダプタ接続部１４３は、ＡＣアダプタ２が接続可能に構成される。本体側アダプタ接続検知部１４１は、ＡＣアダプタ２から供給される電力が供給される。本体側アダプタ接続検知部１４１は、供給された電力の電位を検知することで、本体側アダプタ接続部１４３にＡＣアダプタ２が電気的に接続されているか否かを検知する。
【００３２】
電源回路１４０は、ＵＳＢ接続部１５０からのバスパワー、又は本体側アダプタ接続部１４３からの電力が供給される回路である。電源回路１４０に供給された電力は、メインＣＰＵ１０１等の本体端末１００の各構成要素に供給される。
【００３３】
マイク１１１は、ユーザから発せられる音声を集音し、エコーキャンセラ１１２にアナログ音声信号を送信する。マイク１１１は、エコーキャンセラ１１２に電気的に接続される。
【００３４】
エコーキャンセラ１１２は、マイク１１１から送信されたアナログ音声信号を受信し、エコー除去を行う。さらに、エコーキャンセラ１１２は、後述する音声デコーダ１１４から送信されたアナログ音声信号を受信し、エコー除去を行う。エコー除去としては、例えば特開２００１−９５０８４号公報に記載された周知の方法が用いられる。エコーキャンセラ１１２は、音声エンコーダ１１３と、音声デコーダ１１４と、に電気的に接続される。
【００３５】
音声エンコーダ１１３は、マイク１１１からエコーキャンセラ１１２を介して入力されるアナログ音声信号を受信する。音声エンコーダ１１３は、アナログ音声信号をエンコードし、デジタル音声信号に変換する。エンコードとは、音声信号に対して、データ圧縮、又は暗号化を行うことである。音声エンコーダ１１３は、デジタル音声信号に変換した後、デジタル音声信号をメインＣＰＵ１０１に送信する。音声エンコーダ１１３は、メインＣＰＵ１０１に電気的に接続される。
【００３６】
音声デコーダ１１４は、メインＣＰＵ１０１から送信されたデジタル音声信号を受信する。音声デコーダ１１４は、デジタル音声信号をデコードし、アナログ音声信号に変換する。デコードとは、圧縮、又は暗号化されたデジタル音声信号を、解凍、又は復号化することである。音声デコーダ１１４は、アナログ音声信号に変換した後、アナログ音声信号をエコーキャンセラ１１２に送信する。さらに、エコーキャンセラ１１２は、音声デコーダ１１４から出力されたアナログ音声信号をエコー除去した後、アナログ音声信号をスピーカ１１０に送信する。音声デコーダ１１４は、メインＣＰＵ１０１に電気的に接続される。
【００３７】
スピーカ１１０は、エコーキャンセラ１１２から送信されたアナログ音声信号を音声として出力する。
【００３８】
スマートフォン接続部１３０は、音声処理部１３１と電気的に接続される。スマートフォン接続部１３０は、不図示のスマートフォンケーブルを介して不図示のスマートフォンが電気的に接続される。スマートフォン接続部１３０は、不図示のスマートフォンから不図示のスマートフォンケーブルを介してアナログ音声信号を受信する。
【００３９】
音声処理部１３１は、後述する電話交換機及び不図示のスマートフォンから送信されたアナログ音声信号を受信し、メインＣＰＵ１０１から送信される制御信号に従って、アナログ音声信号をスピーカ１１０から音声を出力するためにエコーキャンセラ１１２に送信する。また、音声処理部１３１は、アナログ音声信号の利得を調整する。音声処理部１３１は、メインＣＰＵ１０１と、後述する回線モジュール２００の電話回線Ｉ／Ｆ回路２５２と、に電気的に接続される。
【００４０】
本体側接続検知部１４５は、本体側接続部１４４と電気的に接続される。本体側接続検知部１４５は、本体側接続部１４４の後述する電力線の電位を検知することで、本体側接続部１４４に接続ケーブル６を介して回線モジュール２００が電気的に接続されているか否かを検知することができる。
【００４１】
回線モジュール２００は、電話交換機から電話回線３を介して本体端末１００のメインＣＰＵ１０１へアナログ音声信号を伝送する。回線モジュール２００は、サブＣＰＵ２０１を備える。サブＣＰＵ２０１は、操作部２０４と、表示部２０５と、に電気的に接続される。サブＣＰＵ２０１は、本体端末１００のメインＣＰＵ１０１と電気的に接続される。サブＣＰＵ２０１は、後述する動作停止信号をメインＣＰＵ１０１から受信する。サブＣＰＵ２０１は、後述する接続検知信号をメインＣＰＵ１０１へ送信する。
【００４２】
電話回線接続部２５０は、アナログ音声信号を伝送する電話回線３が接続可能に構成される。電話回線接続部２５０は、アナログ音声信号を接続ケーブル６を介してメインＣＰＵ１０１に伝送する。電話回線接続部２５０は、電話回線３からアナログ音声信号を受信する。電話回線接続部２５０は、雷防護部２６０と、電話回線接続検知部２５１と、電話回線Ｉ／Ｆ回路２５２と、に電気的に接続される。
【００４３】
電話回線接続検知部２５１は、電話回線３からアナログ音声信号が伝送されることにより変化する電位を検知することで、電話回線３が電話回線接続部２５０に電気的に接続されているか否かを検知する。
【００４４】
電話回線Ｉ／Ｆ回路２５２は、電話回線３から伝送されるアナログ音声信号の入出力を制御する。また、電話回線Ｉ／Ｆ回路２５２は、回線モジュール２００の素子を破壊する程の電流が流れた場合、アナログ音声信号を絶縁する機能がある。電話回線Ｉ／Ｆ回路２５２は、例えばトランス、フォトカプラ等である。電話回線Ｉ／Ｆ回路２５２は、サブＣＰＵ２０１と、接続ケーブル６を介して本体端末１００の音声処理部１３１と、に電気的に接続される。電話回線Ｉ／Ｆ回路２５２は、サブＣＰＵ２０１からの制御信号に従って、電話回線３から伝送されるアナログ音声信号を音声処理部１３１に出力する。音声処理部１３１は、電話回線Ｉ／Ｆ回路２５２から出力されるアナログ音声信号を受信する。また、電話回線Ｉ／Ｆ回路２５２は、サブＣＰＵ２０１からの制御信号に従って、音声処理部１３１から伝送されるアナログ音声信号を電話回線接続部２５０に出力する。
【００４５】
モジュール側アダプタ接続部２４３は、モジュール側アダプタ接続検知部２４１に電気的に接続される。モジュール側アダプタ接続部２４３は、ＡＣアダプタ２が接続可能に構成される。ＡＣアダプタ２から入力される電力は、モジュール側アダプタ接続検知部２４１に供給される。モジュール側アダプタ接続検知部２４１は、供給される電力の電位を検知することで、モジュール側アダプタ接続部２４３にＡＣアダプタ２が電気的に接続されているか否かを検知する。
【００４６】
雷防護部２６０は、電話回線接続部２５０と、モジュール側アダプタ接続部２４３と、に電気的に接続される。雷防護部２６０は、雷サージをモジュール側アダプタ接続部２４３に誘導する。雷サージは、電話回線接続部２５０から伝送される音声信号の電圧より大きな所定の電圧を有する。所定の電圧とは、例えば１０００〜２００００[Ｖ]である。雷防護部２６０により電話回線接続部２５０から侵入する。雷サージはモジュール側アダプタ接続部２４３に誘導されるため、スピーカフォン１が破壊されることを防ぐことができる。
【００４７】
モジュール側アダプタ接続部２４３は、ダイオードを介して後述する電源回路２４０に電気的に接続される。ダイオードは、電源回路２４０からモジュール側アダプタ接続検知部２４１へ電流が逆流することを防止するために設けられる。
【００４８】
電源回路２４０は、モジュール側アダプタ接続部２４３から電力を受け、回線モジュール２００の各構成要素に電力を供給する。
【００４９】
接続ケーブル６は、接地線６Ａと、電力線６Ｂと、制御信号線６Ｃと、音声信号線６Ｄと、を含む。
【００５０】
接地線６Ａは、本体端末１００の本体側アダプタ接続部１４３のアースと、回線モジュール側のアースと、に電気的に接続される。
【００５１】
電力線６Ｂは、電源回路２４０より上流側かつモジュール側アダプタ接続検知部２４１より下流側の位置と、電源回路１４０より上流側かつ本体側アダプタ接続検知部１４１より下流側の位置と、に電気的に接続される。モジュール側アダプタ接続検知部２４１に供給されるＡＣアダプタ２の電力は、電力線６Ｂを介して、本体端末１００側の電源回路１４０に供給される。本体側アダプタ接続検知部１４１に供給されるＡＣアダプタ２の電力は、電力線６Ｂを介して、回線モジュール２００側の電源回路２４０に供給される。
【００５２】
制御信号線６Ｃは、メインＣＰＵ１０１と、サブＣＰＵ２０１と、に電気的に接続される。制御信号は、例えば後述する動作停止信号、接続検知信号等である。動作停止信号は、制御信号線６Ｃを介して、メインＣＰＵ１０１から、サブＣＰＵ２０１へ送信される。接続検知信号は、制御信号線６Ｃを介して、サブＣＰＵ２０１から、メインＣＰＵ１０１へ送信される。
【００５３】
音声信号線６Ｄは、音声処理部１３１と、電話回線Ｉ／Ｆ回路２５２と、に電気的に接続される。音声処理部１３１は、メインＣＰＵ１０１から送信される制御信号に従って、音声信号線６Ｄを介してエコーキャンセラ１１２から送信されたアナログ音声信号を電話回線Ｉ／Ｆ回路２５２に送信する。電話回線Ｉ／Ｆ回路２５２は、音声信号線６Ｄを介してサブＣＰＵ２０１から送信される制御信号に従って、電話回線接続部２５０から送信されたアナログ音声信号を音声処理部１３１に送信する。
【００５４】
［接続ケーブル６の説明］
図３に示すように、本体端末１００は、本体側接続部１４４と、本体側アダプタ接続部１４３と、を備える。本体側アダプタ接続部１４３と、本体側接続部１４４とは、互いに近接して配置される。具体的には、図３に示すように、本体側アダプタ接続部１４３にＡＣアダプタ２が接続されている場合、本体側接続部１４４のケーブル挿入口１４４Ａは、ＡＣアダプタ２が本体側接続部１４４のケーブル挿入口１４４Ａの手前を塞ぐ位置に配置される。ＡＣアダプタ２が本体側接続部１４４のケーブル挿入口１４４Ａの手前を塞ぐため、本体端末１００の本体側接続部１４４と回線モジュール２００のモジュール側接続部２４４とを接続する接続ケーブル６を本体側接続部１４４のケーブル挿入口１４４Ａに接続することができない。
【００５５】
図４に示すように、本体端末１００の本体側接続部１４４が接続ケーブル６に接続されている場合、接続ケーブル６は、本体側アダプタ接続部１４３のアダプタ挿入口１４３Ａの手前を塞ぐように配置される。接続ケーブル６が本体側アダプタ接続部１４３のアダプタ挿入口１４３Ａの手前を塞ぐため、ＡＣアダプタ２を本体側アダプタ接続部１４３のアダプタ挿入口１４３Ａに接続することができない。即ち、接続ケーブル６と、ＡＣアダプタ２とは、本体端末１００において、排他的に接続可能である。このため、電話回線３と本体端末１００とを電気的に接続した状態、即ち雷サージがＰＣ４を破壊する恐れがある状態で、ＡＣアダプタ２を接続する場合、ＡＣアダプタ２を本体側アダプタ接続部１４３に接続することはできず、モジュール側アダプタ接続部２４３に接続される。これにより、雷サージがＰＣ４を破壊する恐れを低減することができる。
【００５６】
［異常状態検知処理の説明］
図５を参照し、メインＣＰＵ１０１が実行する異常状態の検知処理を示すフローチャートを説明する。
【００５７】
操作部１０４が操作され、電源が投入されると、メインＣＰＵ１０１が起動する。メインＣＰＵ１０１は、図５に示す処理の実行を開始する。
【００５８】
Ｓ１１では、メインＣＰＵ１０１は、本体端末１００に回線モジュール２００が接続されているか否かを判断する。具体的には、本体端末１００の本体側接続検知部１４５が検知した電位から回線モジュール２００の接続の有無を判断し、回線モジュール２００が本体端末１００に接続されているか否かを判断する。メインＣＰＵ１０１は、本体端末１００に回線モジュール２００が接続されていると判断した場合（Ｓ１１：ＹＥＳ）、Ｓ１３へ処理を進める。メインＣＰＵ１０１は、本体端末１００に回線モジュール２００が接続されていないと判断した場合（Ｓ１１：ＮＯ）、Ｓ１２へ処理を進める。
【００５９】
Ｓ１２では、メインＣＰＵ１０１は、本体端末１００のみで動作を開始する。本体端末１００のみの動作とは、ＰＣ４及び不図示のスマートフォンからの音声信号のみを送受信し、操作部１０４の入力を受け付けることである。メインＣＰＵ１０１は、本体端末１００の動作が終了した後に、Ｓ１１へ処理を戻す。
【００６０】
Ｓ１３では、メインＣＰＵ１０１は、回線モジュール２００にＡＣアダプタ２が接続されているか否かを判断する。具体的には、回線モジュール２００のモジュール側接続検知部２４１が検知した電位を判断し、ＡＣアダプタ２が回線モジュール２００に接続されているか否かを判断する。メインＣＰＵ１０１は、回線モジュール２００にＡＣアダプタ２が接続されていると判断した場合（Ｓ１３：ＹＥＳ）、Ｓ１４へ処理を進める。メインＣＰＵ１０１は、回線モジュール２００にＡＣアダプタ２が接続されていないと判断した場合（Ｓ１３：ＮＯ）、Ｓ１５へ処理を進める。
【００６１】
Ｓ１４では、メインＣＰＵ１０１は、本体端末１００と回線モジュール２００とを一体で動作を開始する。本体端末１００及び回線モジュール２００の動作とは、音声処理部１３１がＰＣ４、スマートフォン、及び電話回線３からの音声信号を送受信し、操作部１０４及び操作部２０４の入力を受け付けることである。メインＣＰＵ１０１は、本体端末１００と回線モジュール２００との動作が終了した後、Ｓ１１へ処理を戻す。
【００６２】
Ｓ１５では、メインＣＰＵ１０１は、回線モジュール２００に電話回線３が接続されているか否かを判断する。具体的には、回線モジュール２００の電話回線接続検知部２５１が検知した電位を判断し、電話回線３が回線モジュール２００に接続されているか否かを判断する。メインＣＰＵ１０１は、回線モジュール２００に電話回線３が接続されていると判断した場合（Ｓ１５：ＹＥＳ）、Ｓ１７へ処理を進める。メインＣＰＵ１０１は、回線モジュール２００に電話回線３が接続されていないと判断した場合（Ｓ１５：ＮＯ）、Ｓ１４へ処理を進める。
【００６３】
Ｓ１７では、メインＣＰＵ１０１は、ＰＣ４に接続されたＵＳＢケーブル５が本体端末１００に接続されているか否かを判断する。具体的には、本体端末１００のＵＳＢ接続検知部１２１が検知した電位を判断し、ＵＳＢケーブル５が本体端末１００に接続されているか否かを判断する。メインＣＰＵ１０１は、本体端末１００にＵＳＢケーブル５が接続されていると判断した場合（Ｓ１７：ＹＥＳ）、Ｓ１９へ処理を進める。本体端末１００にＵＳＢケーブル５が接続されていないと判断した場合（Ｓ１７：ＮＯ）、Ｓ１４へ処理を進める。
【００６４】
Ｓ１９では、メインＣＰＵ１０１は、本体端末１００及び回線モジュール２００の動作を停止する。具体的には、電話回線３、ＰＣ４、及び不図示のスマートフォンからの音声信号の送受信を停止する。本実施形態においては、メインＣＰＵ１０１がＵＳＢＩ／Ｆ１２０に停止信号を送信し、ＵＳＢＩ／Ｆ１２０とメインＣＰＵ１０１との間に送受信が行われないようにする。さらに本実施形態においては、メインＣＰＵ１０１が音声処理部１３１に停止信号を送信し、スマートフォン接続部１３０と音声処理部１３１との間のアナログ音声信号の送受信、及び電話回線Ｉ／Ｆ回路２５２と音声処理部１３１との間のアナログ音声信号の送受信が行われないようにする。また、本体端末１００の操作部１０４のキー操作と、回線モジュール２００の操作部２０４のキー操作と、を拒否する。本実施形態においては、メインＣＰＵ１０１は、操作部１０４からの操作信号を受け付けないようにする。サブＣＰＵ２０１は、操作部２０４からの操作信号を受け付けないようにする。さらに、表示部２０５へ雷サージにより破壊されることを防ぐよう警告を表示する。本実施形態においては、メインＣＰＵ１０１から、サブＣＰＵ２０１に向けて、ＲＯＭ１０３に記憶された警告表示情報及び動作停止信号が送信される。サブＣＰＵ２０１は、表示部２０５へ警告表示情報を送信する。表示部２０５は、図６に示すような警告画面を表示する。メインＣＰＵ１０１は、Ｓ１９終了後、Ｓ２０へ処理を進める。
【００６５】
Ｓ２０では、メインＣＰＵ１０１は、接続の異常状態が解除されたか否かを判断する。接続の異常状態とは、回線モジュール２００と本体端末１００とが接続され（Ｓ１１：ＹＥＳ）、回線モジュール２００にＡＣアダプタ２が接続されておらず（Ｓ１３：ＮＯ）、回線モジュール２００に電話回線３が接続され（Ｓ１５：ＹＥＳ）、ＰＣ４とＵＳＢ接続されている（Ｓ１７：ＹＥＳ）状態である。したがって、図６に示すように、接続の異常状態が解除された状態とは、回線モジュール２００と本体端末１００との接続が遮断された、又は電話回線３と回線モジュール２００との接続が遮断された、又はＰＣ４と本体端末１００との接続が遮断された、又は回線モジュール２００とＡＣアダプタ２とが接続された状態である。メインＣＰＵ１０１は、接続の異常状態が解除されたと判断した場合（Ｓ２０：ＹＥＳ）、Ｓ２１へ処理を戻す。メインＣＰＵ１０１は、接続の異常状態が解除されていないと判断した場合（Ｓ２０：ＮＯ）、Ｓ１９へ処理を進める。
【００６６】
Ｓ２１では、メインＣＰＵ１０１は、接続の異常状態が解除された時点の接続状態にて動作を開始する。メインＣＰＵ１０１は、Ｓ１４と同様の動作である本体端末１００又は回線モジュール２００の動作が終了した後、Ｓ１１へ処理を戻す。
【００６７】
なおＳ１２、Ｓ１４、及びＳ２１において、操作部１０４が再度操作され、電源が遮断された場合、メインＣＰＵ１０１は、図５に示す処理を終了する。
【００６８】
［第２実施形態］
第２実施形態を図面を用いて説明する。なお、第２実施形態は、第１実施形態とは、回線モジュールと本体端末との接続方法において異なる。
【００６９】
［ケースＣＡの説明］
図７に示すように、本体端末１００Ｂは、本体側接続部１４４Ｂと、本体側アダプタ接続部１４３Ｂと、を備える。回線モジュール２００Ｂは、ケースＣＡに収容される。本体側アダプタ接続部１４３Ｂは、本体側接続部１４４Ｂの内部に配置される。具体的には、本体側アダプタ接続部１４３ＢにＡＣアダプタ２が接続されている場合、ＡＣアダプタ２が本体側接続部１４４Ｂの嵌合溝１４４ＢＡの一部に配置される。ＡＣアダプタ２は、本体側接続部１４４Ｂの嵌合溝１４４ＢＡの一部に配置されるため、本体端末１００の本体側接続部１４４Ｂの嵌合溝１４４ＢＡと回線モジュール２００のモジュール側接続部２４４Ｂの嵌合突起２４４ＢＡとを接続することができない。
【００７０】
図８に示すように、本体端末１００Ｂの本体側接続部１４４Ｂの嵌合溝１４４ＢＡと、回線モジュール２００Ｂのモジュール側接続部２４４Ｂの嵌合突起２４４ＢＡと、が接続されている場合、回線モジュール２００ＢのケースＣＡの一部である嵌合突起２４４ＢＡは、本体側アダプタ接続部１４３Ｂのアダプタ挿入口１４３ＢＡの手前を塞ぐ。回線モジュール２００ＢのケースＣＡの一部である嵌合突起２４４ＢＡが本体側アダプタ接続部１４３Ｂのアダプタ挿入口１４３ＢＡの手前を塞ぐため、ＡＣアダプタ２を本体側アダプタ接続部１４３Ｂのアダプタ挿入口１４３ＢＡに接続することができない。即ち、回線モジュール２００Ｂと、ＡＣアダプタ２とは、本体端末１００Ｂにおいて、排他的に接続可能である。このため、図８に示すように、電話回線３と本体端末１００Ｂとを電気的に接続した状態、即ち雷サージがＰＣ４を破壊する恐れがある状態で、ＡＣアダプタ２をスピーカフォン１に接続する場合、ＡＣアダプタ２は、本体側アダプタ接続部１４３Ｂのアダプタ挿入口１４３ＢＡに接続することはできず、ＡＣアダプタ２はモジュール側アダプタ接続部２４３に接続される。これにより、雷サージがＰＣ４を破壊する恐れを低減することができる。
【００７１】
［変形例］
本発明は上記実施形態になんら限定されるものではなく、本発明の要旨を逸脱しない範囲で種々の形態で実施することができる。
【００７２】
本実施形態においては、スピーカフォン１は、ＰＣ４からのデジタル音声信号を受信する本体端末１００と電話回線からのアナログ音声信号を受信する回線モジュール２００とに分離可能に構成されたが、スピーカフォンは分離されず一体に構成されていてもよい。
【００７３】
本実施形態においては、スピーカフォン１は、モジュール側アダプタ接続部２４３、本体側アダプタ接続部１４３を備え、ＡＣアダプタ２からの電力により駆動された。しかしながら、これに限らず、スピーカフォン１の内部にバッテリーを備え、スピーカフォン１はバッテリー駆動してもよい。また、スピーカフォン１は、ＵＳＢケーブル６からのバスパワーのみで駆動してもよい。
【００７４】
本実施形態においては、スピーカフォン１は、雷防護部２６０を備えたが、雷防護部２６０はなくても構わない。
【００７５】
本実施形態においては、Ｓ２０において音声信号の送受信を停止し、操作部１０４、２０４へのキー操作を拒否した。しかしながら、これに限らず、ユーザに異常状態であることを気付かせるために行われる動作であれば何でもよい。
【００７６】
なお、上述で説明したプログラムは、予め用意されたプログラムをコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【００７７】
本実施形態のメインＣＰＵ１０１は、本発明の制御部の一例である。本実施形態のＰＣ４は、本発明の通信端末の一例である。本実施形態のＵＳＢ接続部１５０は、本発明の端末接続部の一例である。本実施形態の電話回線接続部２５０は、本発明の電話接続部の一例である。本実施形態のＳ１７は、本発明の端末接続検知部の一例である。本実施形態のＳ１５は、本発明の電話接続検知部の一例である。本実施形態のＳ１５、及びＳ１７は、本発明の状態検知部の一例である。本実施形態のモジュール側アダプタ接続部２４３は、本発明のアダプタ接続部の一例である。本実施形態の雷防護部２６０は、本発明の雷防護部の一例である。本実施形態のモジュール側アダプタ接続検知部２４１は、本発明のアダプタ接続検知部の一例である。本実施形態のＳ１９は、本発明の停止部、及び報知部の一例である。本実施形態の本体端末１００、１００Ｂは、本発明の本体端末の一例である。
本実施形態の回線モジュール２００、２００Ｂは、本発明の回線モジュールの一例である。
【００７８】
本実施形態の本体側接続部１４４、１４４Ｂは、本発明の本体側接続部の一例である。
本実施形態のモジュール側接続部２４４、２４４Ｂは、本発明のモジュール側接続部の一例である。本実施形態の本体側接続部２４３、２４３Ｂは、本発明のモジュール側アダプタ接続部の一例である。本実施形態の本体側アダプタ接続部１４３、１４３Ｂは、本発明の本体側アダプタ接続部の一例である。本実施形態の接続ケーブル６は、本発明の接続ケーブルの一例である。本実施形態のケースＣＡは、本発明のケースの一例である。
【符号の説明】
【００７９】
１ スピーカフォン
２     ＡＣアダプタ
３     電話回線
４     ＰＣ
５     ＵＳＢケーブル
６     接続ケーブル
１００ 本体端末
２００ 回線モジュール
【図１】
2013211634.tif 000003
【図２】
2013211634.tif 000004
【図３】
2013211634.tif 000005
【図４】
2013211634.tif 000006
【図５】
2013211634.tif 000007
【図６】
2013211634.tif 000008
【図７】
2013211634.tif 000009
【図８】
2013211634.tif 000010